(57)【要約】【課題】除湿ロータの再生域の熱量が除湿域に伝達されることに起因する顕熱ロスを防止し、パージ域で吸湿してしまうことに起因する除湿域の除湿能力の低下を防止することが出来る除湿機の提供。【解決手段】回転する除湿ロータ（１）と、空気供給装置（２）とを有し、空気供給装置（２）は除湿するべき空気を除湿ロータ（１）の除湿域（１１）とパージ域（１２）とに供給する様に構成されており、空気供給装置（２）から除湿ロータ（１）のパージ域（１２）に供給された空気を除湿ロータ（１）の再生域（１３）に供給するライン（Ｌ０）と、該ライン（Ｌ０）に介装された加熱装置（４、６２）とを有している。【選択図】図１
2006341217.tif 000002
【特許請求の範囲】
【請求項１】
回転する除湿ロータと、除湿ロータに対して除湿するべき空気を供給する空気供給装置とを有し、空気供給装置は除湿するべき空気を吸引して加圧すると共に、加圧された空気を除湿ロータの除湿域に相当する領域とパージ域に相当する領域とに供給する様に構成されており、空気供給装置から除湿ロータのパージ域に供給された空気を除湿ロータの再生域に供給するラインと、該ラインに介装された加熱装置とを有していることを特徴とする除湿機。
【請求項２】
回転する除湿ロータと、除湿ロータに対して除湿するべき空気を供給する空気供給装置とを有し、空気供給装置は除湿ロータの除湿域を経由した空気を吸引すると共に、吸引された空気を加圧して除湿ロータの除湿域に相当する領域とパージ域に相当する領域とに供給する様に構成されており、空気供給装置から除湿ロータのパージ域に供給された空気を除湿ロータの再生域に供給するラインと、該ラインに介装された加熱装置とを有していることを特徴とする除湿機。
【請求項３】
除湿ロータの除湿域を経由した空気を室内へ供給するラインに熱交換器を介装する請求項１、２の何れかの除湿機。
【請求項４】
空気供給装置と除湿ロータとを連通するラインに熱交換器を介装した請求項１、２の何れかの除湿機。
【請求項５】
空気供給装置の上流側に熱交換器を介装した請求項１、２の何れかの除湿機。
【請求項６】
除湿ロータのパージ域及び再生域を経由した空気が流れるラインに熱交換器が介装されており、該ラインは室内側へ連通している請求項１、２の何れかの除湿機。
【請求項７】
熱電素子を設け、熱電素子の放熱面は除湿ロータの再生域に向けて流れる空気を加熱するためパージ域から再生域へ連通するラインに介装されており、熱電素子の冷却面は室内へ向かう空気を冷却するため除湿域から室内へ向うラインに介装されている請求項１、２の何れかの除湿機。
【発明の詳細な説明】
【技術分野】
【０００１】
本発明は、室内の空気中の水分を取り除く除湿機に関し、特に、吸湿体としてシリカゲルやゼオライトの様な固体吸湿体を用いた乾式除湿機（デシカント除湿機）に関する。
【背景技術】
【０００２】
室内除湿の手段として、大別すると圧縮式による過冷却除湿と、デシカント方式による水分吸着除湿の２種類がある。
【０００３】
圧縮式による過冷却除湿は、消費電力が小さく省エネルギ性に優れると共に、高温になる程、徐質量が増加し、特に夏場の高温多湿空気に対して優れた除湿性能を発揮する。
【０００４】
一方、デシカント方式による水分吸着除湿は圧縮式に比べ、圧縮機を不要とするため運転音が低く、装置が小型軽量に出来る上、特に低温多湿空気に対する除湿能力が優れている。そして、低温多湿の環境下で効率が良いことに基いて、例えば、日本海における冬季の結露対策等の用途に適した除湿技術として、近年急速に普及している。
【０００５】
これら除湿器の一般的な欠点として、第１に、除湿器に吸入される空気よりも除湿から排出される空気のほうがエンタルピは必ず高くなっており、そのため夏場において室内の空調機負担を増加させてしまう点がある。
そして、第２の欠点としては、機器が大きく設置のためのスペースを要してしまう点がある。
【０００６】
デシカント方式の除湿機においては、これらの欠点を改善するため、いくつかの技術が従来から提案されている。
その内の一つとして、除湿ロータ内に除湿ゾーン、再生ゾーンに加えてパージゾーンを設け、除湿空気の一部をバイパスさせてパージゾーンに供給することにより、再生ゾーンの余分な顕熱が除湿ゾーンへ流入するのを防ぐ技術が提案されている（例えば、特許文献１参照）。
この技術によれば、室内の空調機負担の増加を抑制することが可能となる。
【０００７】
また、デシカント空調機内の風路を工夫して、一つのファンで二つの風路に空気を送り込む様に構成して、機器構成を簡略化して、機器サイズを縮小する技術も提案されている（例えば、特許技術２参照）。
【０００８】
然るに、特許文献１の技術においては、除湿ゾーンへの顕熱ロスは低減できるが、パージゾーンを通過した空気は捕捉（パージ）されると同時に除湿されてしまい、その分、除湿ゾーンにおける除湿能力の低下を引き起こす懸念がある。
ここで、一般的に再生空気は低湿度である方が再生ゾーンにおける再生能力が向上し、それに伴い除湿能力も向上するが、特許文献１の技術では、再生空気としてマイクロガスタービンの排ガスを用いることが前提となっており、パージゾーンを通過した空気流量に比較して、圧倒的に大量のマイクロガスタービン排ガスが供給される。そのため、パージゾーンで再生空気を低湿度化する効果は極めて小さくなってしまい、除湿ゾーンにおける除湿能力の低下の弊害のほうが大きくなる。
これに加えて、ファンを二つ用いているため、装置の大型化が避けられない。
【０００９】
特許文献２では、デシカントロータ内の再生ゾーンにおいて蓄積した顕熱が、除湿ゾーンに大量に流入してしまうため、室内へ供給された空気は除湿過程でエンタルピが上昇し、当該室内における空調機負荷を増加させる要因となる。そのため、室内空調設備（圧縮式空調機、輻射冷房システム等）の省エネ性が損なわれる。
特に、冷熱を輻射するタイプの冷房システム（所謂「輻射冷房システム」）においては、冷房能力に比較して空調負荷が多大になってしまう事態を惹起する可能性がある。
【特許文献１】特開２００５−５５０４９号公報
【特許文献２】特開２００２−１０２６４１号公報
【発明の開示】
【発明が解決しようとする課題】
【００１０】
本発明は上述した従来技術の問題点に鑑みて提案されたものであり、除湿ロータの再生域の熱量が除湿域に伝達されることに起因する顕熱ロスを防止し、パージ域で吸湿してしまうことに起因する除湿域の除湿能力の低下を防止することが出来る除湿機の提供を目的としている。
【課題を解決するための手段】
【００１１】
本発明の除湿機は、回転する除湿ロータ（１）と、除湿ロータ（１）に対して除湿するべき空気を供給する空気供給装置（例えばブロワ２）とを有し、空気供給装置（例えばブロワ２）は除湿するべき空気を吸引して加圧すると共に、加圧された空気を除湿ロータ（１）の除湿域（或いは処理域１１）に相当する領域とパージ域（１２）に相当する領域とに供給する様に構成されており、空気供給装置（例えばブロワ２）から除湿ロータ（１）のパージ域（１２）に供給された空気を除湿ロータ（１）の再生域（１３）に供給するライン（Ｌ０）と、該ライン（Ｌ０）に介装された加熱装置（熱源４、熱電素子の放熱面６２）とを有している（図１：請求項１）。
【００１２】
また本発明の除湿機は、回転する除湿ロータ（１）と、除湿ロータ（１）に対して除湿するべき空気を供給する空気供給装置（例えばブロワ２）とを有し、空気供給装置（例えばブロワ２）は除湿ロータ（１）の除湿域（１１）を経由した空気を吸引すると共に、吸引された空気を加圧して除湿ロータ（１）の除湿域（或いは処理域１１）に相当する領域とパージ域（１２）に相当する領域とに供給する様に構成されており、空気供給装置（例えばブロワ２）から除湿ロータ（１）のパージ域（１２）に供給された空気を除湿ロータ（１）の再生域（１３）に供給するライン（Ｌ０）と、該ライン（Ｌ０）に介装された加熱装置（熱源４、熱電素子の放熱面６２）とを有している（図３：請求項２）。
【００１３】
本発明において、除湿ロータ（１）の除湿域（１１）を経由した空気を室内（Ｅ）へ供給するライン（Ｌ３）に熱交換器（５）を介装することが好ましい（図４：請求項３）。
【００１４】
また、空気供給装置（２）と除湿ロータ（１）とを連通するライン（Ｌ２）に熱交換器（５１）を介装しても良い（図５：請求項４）。
【００１５】
或いは、空気供給装置（２）の上流側に熱交換器（５１）を介装しても良い（図６：請求項５）。
【００１６】
除湿ロータ（１）のパージ域（１２）及び再生域（１３）を経由した空気が流れるライン（Ｌ５０）に熱交換器（５１）が介装されており、該ライン（Ｌ５０）は室内（Ｅ）側へ連通しているのが好ましい（図７：請求項６）。
【００１７】
本発明において、熱電素子（６）を設け、熱電素子（６）の放熱面（６２）は除湿ロータ（１）の再生域（１３）に向けて流れる空気を加熱するためパージ域（１２）から再生域（１３）へ連通するライン（Ｌ０）に介装されており、熱電素子（６）の冷却面（６１）は（除湿ロータ１の除湿域１１を経由して）室内（Ｅ）へ向かう空気を冷却するため除湿域（１１）から室内（Ｅ）へ向うライン（Ｌ３）に介装されているのが好ましい（図１１：請求項７）。
【発明の効果】
【００１８】
上述する構成を具備する本発明によれば、再生域（１３）から除湿域（１１）へ流入する潜熱が、パージ域（１２）を通過する空気により除去される。従って、再生域（１３）の熱量（除湿ロータ１における再生されたデシカントが保有する熱）により除湿域（１１）が加熱されてしまう事が防止される。その結果、除湿された空気が昇温することによる損失（いわゆる「顕熱ロス」）を防止できる。
また、パージ域（１２）を経由して、（パージ域１２に存在する）デシカントで除湿された空気のみが再生に用いられる。すなわち、パージ域（１２）で除湿された空気のみで再生処理を行うことが出来るので、再生効率が向上する。これにより、パージ域（１２）で除湿するデメリットを補って余りある。
【００１９】
また本発明によれば、除湿ロータ（１）の除湿域（１１）を経由しない空気を熱交換器（５１）で降温することにより、露点を超える水分を除去することが出来る。そのように構成すれば、パージ域（１２）で除湿してしまうことによる除湿性能の低下を補填することが出来る。
【００２０】
或いは、除湿ロータ（１）の除湿域（１１）を経由しない空気を熱交換器（５１）で降温（暖房時であれば昇温）することにより、冷房負荷を低減することが可能である。
【発明を実施するための最良の形態】
【００２１】
以下、添付図面を参照して、本発明の実施形態について説明する。
【００２２】
先ず、図１を参照して第１実施形態を説明する。
図１の第１実施形態の除湿器１０１は、除湿ロータ１と、ブロワ２と、ケーシング３とを有しており、該ケーシング３は室内Ｅの壁Ｗに取り付けられている。
【００２３】
除湿ロータ１は、図２に示すように、処理域である除湿域１１とパージ域１２と再生域１３とに分かれている。
【００２４】
除湿ロータ１は、ケーシング３内に配置され、ブロワ２はロータ１に対して、ケーシング３に形成された空気吸入口３１の側に配置されている。
【００２５】
ケーシング３の除湿ロータ１に対して、ブロワ２と反対側（図示では右側）の図１中上方に、除湿後の空気を室内Ｅに戻すための乾燥空気戻し口３２が形成されている。
さらにケーシング３には、除湿ロータ１の再生域１３を経由した空気、すなわち水分を含んだ排気を、除湿器１０１から室外Ｆに排気するための排気口３３が形成されている。
【００２６】
除湿ロータ１のパージ域１２と再生域１３とはラインＬ０で連通しており、ラインＬ０は熱源であるヒータ４を介装している。
【００２７】
室内Eからブロワ２に吸込まれた除湿するべき空気（ラインＬ１を流れる空気）は、その一部（ラインＬ２を流れる空気）が除湿ロータ１の除湿域１１を通過し、その際に、（ラインＬ２を流れる空気が含有する）水分が除去される。
水分が除記された空気は、ラインＬ３及び乾燥空気戻し口３２を経由して、再び室内Ｅに戻される。
【００２８】
ブロワ２に吸込まれた空気の残り（ラインＬ４を流れる空気）は、除湿ロータ１のパージ域１２を通過した際に加熱され、且つ、ラインＬ０のヒータ４によって昇温される。そして、昇温された空気により、再生域１３のデシカントが包含している水分が（再生域１３のデシカントから）除去される。再生域１３のデシカントから除去された水分を包含する空気（排気）は、ラインＬ５から排気口３３を経由して、室外Ｆに排出される。
【００２９】
図１及び図２で示す第１実施形態では、再生域１３から除湿域１１へ流入する顕熱が、パージ域１２を通過する空気により除去される。従って、再生域１３の熱量（除湿ロータ１における再生されたデシカントが保有する熱）により除湿域１１が加熱されてしまう事が防止される。
【００３０】
パージ域１２を通過して加熱された空気は、ヒータ４により更に加熱された後に、その全流量が除湿ロータ１の再生域１３へ送られ、加熱された空気が保有する熱量により、除湿ロータ１の再生域１３におけるデシカントが再生される。
【００３１】
図１で示す様な構成であれば、構成は簡単であり、構造が単純化した分だけ、圧損が小さくなる。
【００３２】
係る構成であれば、湿度の高い空気（除湿されるべき空気）がパージ域１２を通過する際に、パージ域１２におけるデシカント（再生後のデシカント）によって、パージ域１２を通過する湿度の高い空気が除湿される。
ここで、再生に用いられる空気は水分を含まない方が好適である。その意味で、再生域１３に送られる空気が、それ以前にパージ域１２を通過することは好都合である。
【００３３】
さらに、図１及び図２で示す第１実施形態であれば、特許文献１の技術とは異なり、パージ域を通過した空気以外の空気（マイクロガスタービンの排ガス）が、大量に再生領域へ送られる訳ではない。従って、パージ域で空気を除湿した効果が、如実に発揮される。
【００３４】
空気供給装置であるブロワ２は、除湿ロータ１の除湿域１１へ向う流量とパージ域１２へ向う流量との比が所定の比となり、且つ、パージ域１２における圧損と再生域１３における圧損と管路抵抗とを経た後の排気量が所定量となる様に、構成されている。
室内の空気交換（換気）のために、排気は一定量であることが要求される。ここで、排気量については、パージ域１２と再生域１３の両方における圧損を考慮する必要が有り、「圧損」は、除湿ロータリー１の面積比、流量比、管路抵抗等にも関連する。
【００３５】
次に、図３を参照して第２実施形態の除湿器１０２について説明する。
図１の第１実施形態では、湿度の高い空気をブロワ２により、除湿域（処理域）１１側とパージ域１２とに各々送風している。
それに対して、図３の第２実施形態は、湿度の高い空気（Ｌ１１）を除湿ロータ１の除湿域１１経由でブロワ２に吸引（Ｌ１２）している。
ブロワ２に吸引（Ｌ１２）された除湿後の空気は、室内Ｅ側（Ｌ１３）と除湿ロータ１のパージ域１２（Ｌ１４）とに、それぞれ送風される。
【００３６】
その他の構成及び作用効果については、図３の第２実施形態は、図１の第１実施形態と同様である。
【００３７】
次に、図４を参照して第３実施形態の除湿器１０３について説明する。
【００３８】
図４の第３実施形態は、図１の実施形態に対して、除湿ロータ１の除湿域（処理域）１１を経由して除湿された空気を、室内Ｅに誘導するラインＬ３中に熱交換器５を介装し、熱交換器５によって除湿された空気を冷却（暖房時であれば、加熱）するように構成した実施形態である。
係る熱交換器５により、除湿された空気を降温（或いは昇温）して室内Ｅへ供給すれば、図示しない室内Ｅにおける図示しない空調設備の負荷（冷房負荷或いは暖房負荷）が低減する。
【００３９】
図４の第３実施形態におけるその他の構成及び効果は、図１の第１実施形態と同様である。
【００４０】
次に、図５を参照して第４実施形態の除湿器１０４について説明する。
【００４１】
図４の第３実施形態では、除湿域（処理域）１１を経由して除湿された空気が流れるラインＬ３に熱交換器５を介装していた。それに対して、図５の第４実施形態は、ブロワ２と除湿ロータ１の処理域１１とを連通するラインＬ２に熱交換器５１を介装した実施形態である。
図５においては、ブロワ２から吹き出す空気（除湿すべき空気）は熱交換器５１によって冷却或いは降温される。冷却された結果、除湿すべき空気が高オンするので、露点を超えた分の水分ｗ（図５ではドレンとして図示されている）が除去される。
ここで、熱交換器５１では、例えば、図示しない冷媒配管や冷水配管が連通している。
【００４２】
デシカント方式は、除湿するべき空気の相対湿度が高ければ高いほど効率が向上する。
図５において、熱交換器５１により露点以下の水分ｗを除去するので、除湿ロータ１に送られる除湿するべき空気の相対湿度は、略々１００％近くなる。その結果、除湿効率が向上するのである。
【００４３】
図５の第４実施形態におけるその他の構成及び効果は、図１、図４の実施形態と同様である。
【００４４】
次に、図６を参照して第５実施形態の除湿器１０５について説明する。
【００４５】
図５の第４実施形態では、ブロワ２と除湿ロータ１の処理域１１とを連通するラインｌ２に熱交換器５１を介装していた。それに対して、図６の第５実施形態では、除湿するべき空気をブロワ２に供給するラインＬ１（除湿するべき空気をファンに吸引させる上流側の位置）に熱交換器５１を介装している。
このように構成することによって、ブロワ２に吸引される空気（除湿すべき空気）を熱交換器５１で冷却して降温し、露点を超えた分の水分ｗを除去するのである。
【００４６】
図６の第５実施形態におけるその他の構成及び効果は、図５の第４実施形態と同様である。
【００４７】
次に、図７を参照して第６実施形態の除湿器１０６について説明する。
【００４８】
図７の第６実施形態は、除湿ロータ１の再生域１３においてデシカントを再生した後の空気が流れるラインＬ５０に、熱交換器５１を介装した実施例である。
【００４９】
デシカントを再生した後の空気を熱交換器５１で降温させることにより、当該空気における露点を超えた分の水分ｗを除去することが出来る。
熱交換器５１で水分が除去された空気は、湿度の低い空気であるので、系外、例えば戸外（或いは室外）に排気することなく、処理域１１を経由した空気と同様に、室内Ｅへ供給される。
【００５０】
図７の第６実施形態におけるその他の構成及び効果は、図４〜図６の実施形態と同様である。
【００５１】
次に、図８を参照して第７実施形態の除湿器１０７について説明する。
【００５２】
図８の第７実施形態は、図４の第３実施形態と、図７の第６実施形態とを組み合わせた実施形態である。
図８の実施形態では、除湿ロータ１の処理域（除湿域）１１を経由して除湿された空気を室内Ｅに誘導するラインＬ３中に、熱交換器５が介装されている。それと共に、除湿ロータ１の再生域１３を再生した後の空気が流れるラインＬ５０に、熱交換器５１が介装されている。
【００５３】
その様に構成することで、除湿ロータ１により除湿された空気を、熱交換器５により降温（或いは昇温）して室内Ｅへ供給し、空調設備の負荷（冷房負荷或いは暖房負荷）を低減することが出来る。
また、デシカントを再生した後の空気を熱交換器５１で降温し、露点を超えた分の水分ｗを除去しているので、熱交換器５１を経由した空気からは、ある程度の水分が除去されており、湿度が低くなっている。そして、係る湿度の低い空気を、系外（室外）Ｆに排気せずに、処理域１１を経由した空気と同様に、図示しない室内Ｅへ供給している。
【００５４】
その他の構成及び作用効果も、図４、図７の実施形態と同様である。
【００５５】
次に、図９を参照して第８実施形態の除湿器１０８について説明する。
【００５６】
図９の第８実施形態は、図４の実施形態と、図５の実施形態との組み合わせに係る実施形態である。
すなわち、図９の第８実施形態では、除湿ロータ１の処理域１１を経由して除湿された空気を室内Ｅに誘導するラインＬ３中に、熱交換器５を介装すると共に、ブロワ２と除湿ロータ１の処理域１１とを連通するラインＬ２に、熱交換器５１を介装している。
【００５７】
ブロワ２から吹き出す空気（除湿すべき空気）を熱交換器５１で降温し、露点を超えた分の水分ｗを除去したのち、その露点を越えた水分が除去された空気を、除湿ロータ１によりさらに除湿している。これにより、除湿能力の更なる向上が見込まれる。
そして、ラインＬ３の熱交換器５により降温（或いは昇温）して室内Ｅへ供給するので、空調設備の負荷（冷房負荷或いは暖房負荷）が低減する。
【００５８】
その他の構成及び作用効果については、図４の実施形態及び図５の実施形態と同様である。
【００５９】
次に、図１０を参照して第９実施形態の除湿器１０９について説明する。
図１０の第９実施形態は、図４の実施形態と、図５の実施形態と、図７の実施形態との組み合わせに係る実施形態である。
【００６０】
すなわち、図１０の第９実施形態では、除湿ロータ１の処理域１１を経由して除湿された空気を室内Ｅに誘導するラインＬ３中に熱交換器５を介装すると共に、ブロワ２と除湿ロータ１の処理域１１とを連通するラインＬ２に熱交換器５１を介装し、さらに、除湿ロータ１の再生域１３を再生した後の空気が流れるラインＬ５０に熱交換器５１を介装している。
【００６１】
ブロワ２から吹き出す空気（除湿すべき空気）を熱交換器５１で降温し、露点を超えた分の水分ｗを除去する。そして、露点を越えた水分ｗが除去された空気を、除湿ロータ１によりさらに除湿するので、除湿能力が向上する。
そして、ラインＬ３の熱交換器５により降温（或いは昇温）して室内Ｅへ供給するので、空調設備の負荷（冷房負荷或いは暖房負荷）が低減する。
さらに、デシカントを再生した後の空気を熱交換器５１で降温し、露点を超えた分の水分ｗを除去している。換言すれば、熱交換器５１で水分を除去しているので、ラインＬ５０を流れる空気の湿度が低下する。その結果、係る湿度が低下した空気は、系外（戸外、或いは室外）に排気せずに、処理域１１を経由した空気と同様に、室内Ｅへ供給することが出来る。
【００６２】
その他の構成及び作用効果については、図４の第３実施形態、図５の第４実施形態、図７の第６実施形態と同様である。
【００６３】
次に、図１１を参照して第１０実施形態の除湿器１１０について説明する。
図１１の第１０実施形態では、パージ域１２を経由して再生域１３に供給される空気を加熱する熱源として、熱電素子６の放熱面６２をパージ域１２から再生域１３に至るラインＬ０に介装し、且つ、除湿された空気を室内Ｅに供給する以前の段階で降温する熱交換器（例えば、図４の符号５参照）に代えて、熱電素子６の冷却面６１をラインＬ３に配置している。
【００６４】
図１１の実施形態によれば、図４の第３実施形態に比較して、熱交換器に低温流体（冷房時：暖房時であれば高温流体）が流れる配管をレイアウトする必要がなく、熱源の構成を簡素化することが出来る。
【００６５】
その他の構成及び作用効果については、図４の第３実施形態と同様である。
【００６６】
次に、図１２を参照して第１１実施形態の除湿器１１１について説明する。
図１２の第１１実施形態は、図４の第３実施形態を、輻射パネルを用いた空調ユニットと組み合わせた実施形態である。
【００６７】
図１２の第１１実施形態では、実質的に図４の第３実施形態と同様の除湿器１１１に、冷房ユニット７と空調用熱交換器８と空調用の輻射パネル９が組み合わされている。
【００６８】
ここで、輻射パネル（例えば、天井パネル）９は、空調用熱交換器８から空調ライン（冷水ライン）Ｌｃを介してパネル９内に供給された冷水（温水）による冷熱（温熱）を、パネル９全体から空調するべき室内Ｅへ輻射する様に構成されている。
【００６９】
輻射パネル９を用いた冷房（輻射式冷房）の場合、輻射パネル９に送られる冷水の温度は１２〜１３℃である。そして、空調用熱交換器８から輻射パネル９に送られる冷水温度は、例えば９℃である。そこで、例えば９℃の冷水を除湿器１１１の熱交換器５で１２〜１３℃まで昇温してから、輻射パネル９に送ってやれば、輻射パネルに到達した冷水温度が丁度良くなる。そのため、冷水ラインＬｃを熱交換器５に連通する場合には、「戻り」冷水ラインではなく、「行き」の冷水ラインＬｃを輻射パネル９と直列に熱交換器５へ連通させる様に構成している。
【００７０】
次に、図１３を参照して第１２実施形態を説明する。
図１３の第１２実施形態は、図１２の第１１実施形態に対して、空調系から除湿器１１２のラインＬ３に介装した熱交換器５までの流体ラインの接続方法が異なる。
【００７１】
すなわち、図１２の第１１実施形態では、輻射ラインに向う冷水ラインＬｃを除湿器１１１の熱交換器５へ連通している。それに対して、図１３の第１２実施形態では、冷房ユニット７を循環する冷媒が流れる冷媒ラインＬａを分岐して、その分岐ラインＬｃ２が熱交換器５に連通している。
輻射パネル９への冷水の配送は、分岐ラインＬｃ２とは別に設けられている冷水ラインＬｃ１によって行われる。
【００７２】
その他の構成及び作用効果については、図１２の第１１実施形態と同様である。
【００７３】
図１２の第１１実施形態と、図１３の第１２実施形態において、図４の除湿機１０３と同様の除湿器１１２が示されているが、図４の除湿機１０３に代えて、図５〜図１０と同様の除湿機を用いることが可能である。
【００７４】
図示の実施形態はあくまでも例示であり、本発明の技術的範囲を限定する趣旨の記述ではない旨を付記する。
【図面の簡単な説明】
【００７５】
【図１】本発明の第１実施形態の構成を説明する模式図。
【図２】本発明の実施形態にかかわる除湿ロータの説明図。
【図３】本発明の第２実施形態の構成を説明する模式図。
【図４】本発明の第３実施形態の構成を説明する模式図。
【図５】本発明の第４実施形態の構成を説明する模式図。
【図６】本発明の第５実施形態の構成を説明する模式図。
【図７】本発明の第６実施形態の構成を説明する模式図。
【図８】本発明の第７実施形態の構成を説明する模式図。
【図９】本発明の第８実施形態の構成を説明する模式図。
【図１０】本発明の第９実施形態の構成を説明する模式図。
【図１１】本発明の第１０実施形態の構成を説明する模式図。
【図１２】本発明の第１１実施形態の構成を説明する模式図。
【図１３】本発明の第１２実施形態の構成を説明する模式図。
【符号の説明】
【００７６】
１・・・除湿ロータ
２・・・空気供給装置／ブロワ
３・・・ケーシング
４・・・熱源／ヒータ
５・・・熱交換器
６・・・熱電素子
７・・・冷凍ユニット
８・・・空調用熱交換器
９・・・輻射パネル
１１・・・処理域／除湿域
１２・・・パージ域
１３・・・再生域
３１・・・空気吸入口
３２・・・乾燥空気戻し口
３３・・・排気口
５１・・・熱交換器
６１・・・冷却面
６２・・・放熱面
【図１】
2006341217.tif 000003
【図２】
2006341217.tif 000004
【図３】
2006341217.tif 000005
【図４】
2006341217.tif 000006
【図５】
2006341217.tif 000007
【図６】
2006341217.tif 000008
【図７】
2006341217.tif 000009
【図８】
2006341217.tif 000010
【図９】
2006341217.tif 000011
【図１０】
2006341217.tif 000012
【図１１】
2006341217.tif 000013
【図１２】
2006341217.tif 000014
【図１３】
2006341217.tif 000015